(57)【要約】【課題】手摺りを設けていないシートに着座した者が腕をもたれさせて水平状態に支持され、着座者の腰や胴と椅子の背もたれとの間に簡単には位置ずれしないように挟んで用いることができ、持ち運びが容易なコンパクトな形状にできる腰当て兼用腕載せ用具を提供する。【解決手段】腰当て兼用腕載せ用具１０は、薄いゴム膜に柔らかい布を接着して一体化した素材を用いて、中心角略１９０°の所定幅の扇形の２枚の素材片を縫い合わせて形成したもので、表面側部１１と裏面側部１２とからなる。また、裏面側部１２の中央位置には、空気を吹き込む給排気口１３が突出して設けられている。さらに、表面側部１１と裏面側部１２の外周縁の２箇所には、ゴム製の支持ベルト１７が取り付けられて両者間を連結して設けられている。【選択図】    図１
2007130170.tif 000002
【特許請求の範囲】
【請求項１】
柔軟性を有する薄い素材で形成された略半円環状の中空の袋であって、該袋の一部に設けた給排気口から空気を吹き込むことにより膨らんだ状態で保持され、その内周縁側において人間の胴部前側に嵌め合わせ可能であることを特徴とする腰当て兼用腕載せ用具。
【請求項２】
椅子に座った着座者の背中と椅子の背もたれ間に挟まれて山状に配置されることを特徴とする前記請求項１に記載の腰当て兼用腕載せ用具。
【請求項３】
前記中空の袋が、ゴム弾性体製又はプラスチック製の中心材と、該中心材の外表面を覆う布材とで一体で構成されていることを特徴とする前記請求項１又は２に記載の腰当て兼用腕載せ用具。
【請求項４】
前記中空の袋の互いに離間した２箇所間を伸縮自在な支持ベルトで連結したことを特徴とする前記請求項１から３のいずれか１項に記載の腰当て兼用腕載せ用具。
【請求項５】
前記中空の袋の頂部において一体で径方向外方に延びた中空の袋である支持部を加えたことを特徴とする前記請求項１から４のいずれか１項に記載の腰当て付き椅子。
【請求項６】
長方形の座布団状であって、柔軟性を有する薄い素材で形成された略半円環状の中空の袋部が一体で設けられており、該袋部の一部に設けた給排気口から空気を吹き込むことにより該袋部が膨らんだ状態で保持され、該袋部が山状になるように椅子の背もたれ部にもたれ掛けられることを特徴とする腰当て用具。
【請求項７】
前記袋部の頂部において一体で径方向外方に延びた中空の袋である背骨支持部を加えたことを特徴とする前記請求項６に記載の腰当て付き椅子。
【請求項８】
柔軟性を有する薄い素材で形成された略半円環状の中空の袋部が、椅子の背もたれ部に一体で山状に設けられて、該袋部の一部に設けた給排気口から空気を吹き込むことにより該袋部が膨らんだ状態で保持され、該袋部の内周縁側において椅子に座った着座者の腰部が嵌め合わせ可能にされたことを特徴とする腰当て付椅子。
【請求項９】
前記袋部の頂部において一体で上方に延びた中空の袋である背骨支持部を設けたことを特徴とする前記請求項８に記載の腰当て付き椅子。
【請求項１０】
前記背もたれ部の、前記袋部及び背骨支持部の外側部分が除かれたことを特徴とする前記請求項９に記載の腰当て付き椅子。
【請求項１１】
前記背骨支持部の上端側に一体で中空の袋である頭部支持部を設けたことを特徴とする前記請求項９又は１０に記載の腰当て付き椅子。
【発明の詳細な説明】
【技術分野】
【０００１】
本発明は、自動車や公共交通機関等のシートのように手摺りを設けていない椅子や、オフィスや学校等で作業するための椅子に座った着座者が使用できる腰当て兼用腕載せ用具、腰当て用具及び腰当て付き椅子に関する。
【背景技術】
【０００２】
従来、自動車や公共交通機関等のシートのように、手摺りを設けていない椅子に座る場合、着座した者は、腕をもたれさせて水平状態に維持することができないので、そのまま下に垂らすしかなかった。しかし、長時間の乗車により、腕の重みで上体に過重な負担が加わるため、姿勢も悪くなり肩こりや腰痛が生じやすく、特に体が硬い人や高齢者などに負担が大きかった。また、オフィスや学校等で作業するための椅子に座った着座者についても、長時間の作業により腕の重みで上体に過重な負担が加わり、姿勢も悪くなると共に肩こりや腰痛が生じやすいということは、従来から問題になっていた。
【０００３】
例えば、特許文献１に示すように、給排気栓を設けた空気袋の中に空気袋の広さのものを複数個に分割した大きさの合成樹脂発泡体を並べて収容した平坦な板状で、空気袋内に密閉された空気と発泡体の弾性との相乗により、安定のよいクッション効果が得られる、携帯用折りたたみ式クッション体が知られている。このクッション体は、椅子の背もたれと着座者の腰や胴の間に挟んで用いられる。しかし、このクッション体では、椅子の背もたれと着座者の腰の間で挟むのみであるため、着座者の動きにより容易に位置ずれし易いという問題がある。また、このクッション体では、上記腕を乗せて水平に維持する機能は得られない。さらに、上記クッション体については、空気袋内に合成樹脂製発泡体が収容されているため、使用後に空気袋内の空気を抜いたとしても、折りたたんだ際にかさばるため、持ち運びが容易でもなかった。
【特許文献１】特開２０００−３５４５２６
【発明の開示】
【発明が解決しようとする課題】
【０００４】
本発明は、上記問題を解決しようとするもので、手摺りを設けていないシートに座った着座者の両腕をもたれさせて水平状態に支持でき、また着座者の上体と椅子の背もたれとの間に簡単には位置ずれしないように挟んで用いることができ、さらに使用しないときは折りたたんで持ち運びが容易なコンパクトな形状にできる腰当て兼用腕載せ用具を提供することを目的とする。また、本発明は、椅子に座った着座者の、背骨の曲がった猫背状態を防止して、腰や肩や背骨に加わる負担を軽減できる腰当て用具、腰当て付き椅子を提供することを他の目的とする。
【課題を解決するための手段】
【０００５】
上記目的を達成するために、本発明の構成上の特徴は、柔軟性を有する薄い素材で形成された略半円環状の中空の袋であって、袋の一部に設けた給排気口から空気を吹き込むことにより膨らんだ状態で保持され、その内周縁側において人間の胴部前側に嵌め合わせ可能であることにある。
【０００６】
上記のように構成した本発明においては、車両のシート等に座った着座者が、給排気口から空気を吹き込むことにより膨らんだ状態で保持された腰当て兼用腕載せ用具を、その内周縁側において胴部前側に嵌め合わせて太ももに載せることにより、腰当て兼用腕載せ用具が胴部に安定した状態で取り付けられる。この状態で、着座者が両腕の肘から先を腰当て兼用腕載せ用具の上部に載せることにより、両腕の肘から先が水平状態で安定に支持される。その結果、本発明においては、上体に加わる負担が大幅に軽減されるので、シート等に長時間腰掛けていても、肩こりや腰痛が生じ難くなる。特に、体が硬い人や高齢者などに対する、上体に加わる負担が大幅に軽減される。
【０００７】
また、本発明においては、腰当て兼用腕載せ用具が、椅子に座った着座者の背中と椅子の背もたれ間に挟まれて山状に配置されることにより、着座者の腰部がその内周側の空間に押し付けられて、着座者の腰部から背中にかけて緊密に嵌め合わされる。これにより、腰当て兼用腕載せ用具の山状の頂部を中心として、腰部と背中にかけて自然に弓状に反って曲げられるため、背骨が曲がった猫背状態が解消される。その結果、本発明においては、長時間シートに腰掛けたり作業したりしても、上体に加わる負担が大幅に軽減され、特に体が硬い人や高齢者などに対する、両肩や背中に加わる負担が大幅に軽減される。また、本発明の腰当て兼用腕載せ用具の使用後は、空気を抜くことにより平坦にすることができるため、空気袋を簡単に折畳んでかばん等に入れて持ち運ぶことができるので、自動車のみならず公共交通機関での使用に非常に便利である。
【０００８】
また、本発明において、中空の袋が、ゴム弾性体製又はプラスチック製の中心材と、該中心材の外表面を覆う布材とで一体で構成されていることが好ましい。このように、中心材の外表面が布材で覆われていることにより、着座者が腕を持たれかけたときのあたりが柔らかであり、長時間の使用でも腕の疲れが抑えられる。
【０００９】
また、本発明において、中空の袋の互いに離間した２箇所間を伸縮自在な支持ベルトで連結することができる。それにより、着座者が両腕の肘から先を腰当て兼用腕載せ用具の上部に載せたとき、手首側を袋の外周側における互いに離間した２箇所間を連結した支持ベルトに差し込むことができ、手首側が弾性を有する伸縮自在な支持ベルトで締め付けられて、用具上にしっかりと固定される。その結果、車両の振動等があったり、着座者が体をリラックスさせた状態になっても、両腕の肘から先が腰当て兼用腕載せ用具上から離れることを防止できる。そのため、両腕の肘から先が常に水平状態で安定に支持される。
【００１０】
また、本発明において、中空の袋の頂部において一体で径方向外方に延びた中空の袋である支持部を加えることができる。これにより、腰当て兼用腕載せ用具を、その内周縁側において着座者の胴部前側に嵌め合わせて太ももに載せることにより、支持部が着座者の前方に水平状態で配置される。そのため、支持部に書籍等を載せることにより、着座者は楽に読書を楽しむことができる。また、腰当て兼用腕載せ用具を、椅子に座った着座者の背中と椅子の背もたれ間に挟んで山状に配置することにより、着座者の背骨が、膨らまされた支持部の弾力によって押されるため、自然に着座者の背筋を伸ばす効果がさらに高められる。
【００１１】
また、本発明の他の特徴は、長方形の座布団状であって、柔軟性を有する薄い素材で形成された略半円環状の中空の袋部が一体で設けられており、袋部の一部に設けた給排気口から空気を吹き込むことにより袋部が膨らんだ状態で保持され、袋部が山状になるように椅子の背もたれ部にもたれ掛けられることにある。
【００１２】
他の特徴においては、腰当て用具を椅子の背もたれ部にもたれ掛けさせることにより、着座者の腰部が腰当て用具の袋部の内周側に押し付けられて、着座者の腰部から背中にかけて緊密に嵌め合わされる。これにより、腰当て用具の山状の頂部を中心として、腰部と背中にかけて自然に弓状に反って曲げられるため、背骨が曲がった猫背状態が解消される。その結果、他の特徴においては、長時間シートに腰掛けたり作業したりしても、上体に加わる負担が大幅に軽減され、特に体が硬い人や高齢者などに対する、両肩や背中に加わる負担が大幅に軽減される。また、腰当て用具を用いない場合は、椅子の通常の状態での使用を妨げることはない。さらに、腰当て用具は長方形の布団形状であるため、持ち運びの負担も少ない。
【００１３】
また、他の特徴において、袋部の頂部において一体で径方向外方に延びた中空の袋である背骨支持部を加えることができる。これにより、着座者の背骨が、膨らまされた背骨支持部の弾力によって押されるため、自然に着座者の背筋を伸ばす効果がさらに高められる。
【００１４】
また、本発明のその他の特徴は、柔軟性を有する薄い素材で形成された略半円環状の中空の袋部が、椅子の背もたれ部に一体で山状に設けられて、袋部の一部に設けた給排気口から空気を吹き込むことにより袋部が膨らんだ状態で保持され、袋部の内周縁側において椅子に座った着座者の腰部が嵌め合わせ可能にされたことにある。
【００１５】
その他の特徴においては、背もたれ部に一体で山状に設けられた袋部によって、腰当付き椅子に座った着座者の腰部がその内周側の空間に押し付けられることにより、着座者の腰部から背中にかけて緊密に嵌め合わされる。これにより、袋部の山状の頂部を中心として、腰部と背中にかけて自然に弓状に反って曲げられるため、背骨が曲がった猫背状態が解消される。その結果、本発明においては、長時間椅子に腰掛けたり作業したりしても、上体に加わる負担が大幅に軽減され、特に体が硬い人や高齢者などに対する、両肩や背中に加わる負担が大幅に軽減される。
【００１６】
また、その他の特徴において、袋部の頂部において一体で上方に延びた中空の袋である背骨支持部を設けることができる。これにより、着座者の背骨が、膨らまされた背骨支持部の弾力によって押されるため、自然に着座者の背筋を伸ばす効果がさらに高められる。
【００１７】
また、その他の特徴において、背もたれ部の、袋部及び背骨支持部の外側部分を除くことが可能である。このように、袋部及び背骨支持部の外側部分を除いたことにより、着座者が背もたれ部にもたれたとき、両腕を背もたれ部の後方に自然に曲げることが可能になる。そのため、着座者は上体を背骨を中心として左右の後方に一層自然に曲げることができ、自然に背筋を伸ばすことができると共に、両腕や両肩の凝りをほぐす効果が得られる。
【００１８】
また、その他の特徴において、背骨支持部の上端側に一体で中空の袋である頭部支持部を設けることができる。これにより、着座者の頭部が膨らまされた頭部支持部の弾力によって支持されるため、頭部の疲れが癒されると共に、肩こりを抑える効果も得られる。
【発明の効果】
【００１９】
本発明によれば、膨らんだ状態で保持された腰当て兼用腕載せ用具が、車両のシート等に着座した着座者の腰部に安定した状態で取り付けられ、この状態で、着座者が両腕の肘から先を腰当て兼用腕載せ用具の上部に載せることにより、両腕の肘から先を水平状態で安定に維持できる。その結果、本発明においては、両肩や背中に加わる負担が大幅に軽減されるので、長時間腰掛けていても、肩こりや腰痛が生じ難くされる。また、本発明によれば、膨らんだ状態で保持された腰当て兼用腕載せ用具を、山状にしてシートと背中の間に挟み、その内周側の空間に腰部を押し込むようにすることにより、背中が自然に弓状に反って曲げられ、背骨が曲がった猫背状態が解消される。その結果、本発明においては、長時間シートに腰掛けたり作業したりしても、背骨に加わる負担が大幅に軽減され、それによる肩こりや腰痛が生じ難くされる。また、腰当て兼用腕載せ用具の使用後は、空気を抜くことにより、薄くなった空気袋を折りたたむことができるので、簡単にかばん等に入れて持ち運ぶことができるので、自動車のみならず公共交通機関等での使用にも非常に便利である。
【００２０】
また、本発明において、袋の外表面を布で覆うことにより、着座者が腕をもたれかけたときのあたりが柔らかにされる。さらに、空気袋の両端近傍間を伸縮自在な支持ベルトで連結したことにより、着座者が両腕の肘から先を腰当て兼用腕載せ用具の上部に載せたとき手首側を支持ベルトに差し込むことができるため、両腕の肘から先が腰当て兼用腕載せ用具上から離れることを防止でき、両腕の肘から先を常に水平状態で安定に支持できる。  また、本発明において、中空の袋の頂部において一体で径方向外方に延びた中空の袋である支持部を加えることにより、着座者の胴部前側に嵌め合わせる場合には、支持部に書籍等を載せる読書を楽しむことができ、腰当て兼用腕載せ用具を、椅子に座った着座者の背中と椅子の背もたれ間に挟んで山状に配置する場合には、支持部によって自然に着座者の背筋を伸ばす効果がさらに高められる。
【００２１】
本発明の他の特徴によれば、着座者の腰部が腰当て用具の袋部の内周側に押し付けられて、着座者の腰部から背中にかけて緊密に嵌め合わされることにより、腰当て用具の山状の頂部を中心として、腰部と背中にかけて自然に弓状に反って曲げられるため、背骨が曲がった猫背状態が解消され、その結果、長時間椅子に腰掛けたり作業したりしても、両肩や背中に加わる負担が大幅に軽減される。また、袋部の頂部において一体で上方に延びた中空の袋である背骨支持部を加えることにより、着座者の両肩や背中に加わる負担を軽減させる効果がさらに高められる。
【００２２】
その他の特徴によれば、腰当付き椅子に座った着座者の腰部が、背もたれ部に山状に設けられた袋部の内周側の空間に押し付けられ緊密に嵌め合わされることにより、袋部の山状の頂部を中心として、腰部と背中にかけて自然に弓状に反って曲げられるため、背骨が曲がった猫背状態が解消され、その結果、長時間椅子に腰掛けたり作業したりしても、両肩や背中に加わる負担が大幅に軽減される。また、その他の特徴において、袋部の頂部において一体で上方に延びた中空の袋である背骨支持部を加えたり、また背もたれ部の袋部及び背骨支持部の外側部分を除いたりすることにより、着座者の上体を背骨を中心として左右の後方に自然に曲げることができ、自然に背筋を伸ばす効果がさらに高められる。さらに、背骨支持部の上端側に一体で中空の袋である頭部支持部を設けることにより、頭部の疲れを癒すことができる。
【発明を実施するための最良の形態】
【００２３】
以下、本発明の一実施例について図面を用いて説明する。図１，図２は、実施例１である腰当て兼用腕載せ用具を正面図、背面図により概略的に示したものである。図３〜図５は、腰当て兼用腕載せ用具の使用状態を側面図、正面図及び平面図により概略的に示したものである。
【００２４】
腰当て兼用腕載せ用具１０は、薄く柔軟性のあるゴム膜あるいはプラスチック膜を中心材としてその外表面に柔らかい布材を接着して一体化した素材を用いて、中心角略１９０°で所定幅の扇形の２枚の素材片である表面側部１１と裏面側部１２とを形成し、表面側部１１と裏面側部１２を互いに外周縁で接合させて中空の袋状にしたものである。また、裏面側部１２の中央位置には、空気を吹き込む給排気口１３が突出して設けられている。さらに、表面側部１１と裏面側部１２の外周縁の周方向に対称な２箇所には、径方向外方にわずかに伸びた帯状の一対の取付部１４,１５を設けている。取付部１４，１５は、中心角で略７０°の位置に設けられている。取付部１４,１５には、ゴム製の伸縮自在な支持ベルト１７が取り付けられて両者間を連結して設けられている。この腰当て兼用腕載せ用具１０については、給排気口１３から給気具や口で空気を吹き込むことにより膨らまされて使用形態である略半円環形状にされる。
【００２５】
上記のように構成した本実施例１においては、図３〜図５に示すように、車両のシート１の背もたれ２にもたれて座部３に座った着座者５が、給排気口１３から空気を吹き込むことにより膨らんだ状態で保持された腰当て兼用腕載せ用具１０を、その内周縁側において胴部６の前側に嵌め合わせて太もも７に載せることにより、胴部６に安定した状態で取り付けられる。この状態で、着座者５が両腕８の肘から先を腰当て兼用腕載せ用具１０の表面側部１１上に載せることにより、両腕８の肘から先が水平状態で安定に支持される。そのため、着座者５の上体に加わる負担が大幅に軽減されるので、長時間腰掛けていても肩こりや腰痛が生じ難くなる。特に、体が硬い人や高齢者などに対する、両肩や背中に加わる負担が大幅に軽減される。
【００２６】
また、実施例１においては、腰当て兼用腕載せ用具１０の外表面が布材で覆われていることにより、着座者５が腕を持たれかけたときのあたりが柔らかであり、長時間の使用でも腕に加わる負担が大幅に軽減される。さらに、実施例１においては、腰当て兼用腕載せ用具１０の両端近傍間を支持ベルト１７で連結したこと、着座者５が両腕８の肘から先を表面側部１１の上部に載せたとき、手首側を支持ベルト１７に差し込むことができ、手首側が弾性を有する支持ベルト１７で締め付けられて、表面側部１１上にしっかりと拘束される。これにより、車両の振動等があったり、着座者５が体をリラックスさせた状態になっても、両腕８の肘から先が腰当て兼用腕載せ用具１０上から離れることを防止できる。そのため、両腕８の肘から先が、腰当て兼用腕載せ用具１０によって継続して水平状態で安定に支持される。また、腰当て兼用腕載せ用具１０の使用後は、空気を抜くことにより、薄くなった空気袋を簡単に折りたたんで小さくまとめることができ、簡単にかばん等に入れて持ち運ぶことができるので、自動車のみならず公共交通機関での使用に非常に便利である。
【００２７】
次に、実施例２について説明する。
実施例２においては、図６及び図７に示すように、車両のシート１の背もたれ２にもたれて座部３に座った着座者５が、膨らんだ状態で保持された腰当て兼用腕載せ用具１０を山状にして背中と背もたれ２の間に挟んで配置したものである。さらに、着座者５が、腰当て兼用腕載せ用具１０の内周縁側の空間に腰部９を押し込むようにすることにより、腰当て兼用腕載せ用具１０が着座者５の腰部９から背中６ａにかけて、緊密に嵌め合わされる。これにより、腰当て兼用腕載せ用具１０の山状の頂部１０ａを中心として、腰部９と背中６ａとが自然に弓状に反って曲げられることにより、背骨が曲がった猫背状態が解消される。そのため、着座者５が長時間シート１に腰掛けても、上体に加わる負担が大幅に軽減されて、肩こりや腰痛を抑えることができる。特に、体が硬い人や高齢者などに対する、両肩や背中に加わる負担が大幅に軽減される。
【００２８】
次に、実施例１及び２の変形例について説明する。
変形例の腰当て兼用腕載せ用具１０Ａは、図８，図９に示すように、上記実施例の腰当て兼用腕載せ用具１０外周縁の中央位置である袋本体の頂部１０ａにおいて、袋本体から一体で径方向外方に延びた中空の袋である支持部１８を加えたものである。支持部１８は、袋本体から隔離されており、その側部に空気を吹き込む給排気口１９を設けており、給排気口１９から空気を吹き込むことにより、所定長さの角柱形状に膨らまされる。腰当て兼用腕載せ用具１０Ａのその他の構成については、上記腰当て兼用腕載せ用具１０と同様である。なお、支持部１８内部を腰当て兼用腕載せ用具１０の内部と繋げることも可能であり、それにより、給排気口１９を省くことができる。
【００２９】
変形例においては、図１０に示すように、腰当て兼用腕載せ用具１０Ａを、その内周縁側において着座者の胴部前側に嵌め合わせて太ももに載せることにより、支持部１８が着座者５の前方に水平状態で配置される。そのため、支持部１８の平坦な上面に書籍９等を載せることにより、着座者は楽に読書を楽しむことができる。また、図１１に示すように、腰当て兼用腕載せ用具１０Ａを、椅子１に座った着座者５の背中６ａと椅子の背もたれ２間に挟んで山状に配置することにより、着座者５の背骨が、膨らまされた支持部１８の弾力によって押されるため、自然に着座者の背筋を伸ばす効果がさらに高められる。
【００３０】
次に、実施例３について説明する。
実施例３は、図１２及び図１３に示すように、腰当て用具２０は、長方形の座布団状の本体２１と、本体２１内に埋設された柔軟性を有する薄いゴム膜あるいはプラスチック膜で形成された中空の袋部２５とにより構成されている。本体２１は布製の袋であり、袋部２５を除いた内部にはクッション材２２、２３が埋め込まれている。袋部２５は、略半円弧形の円弧部２６と、円弧部２６の頂部において一体で連続して径方向外方に延びた直線状の背骨支持部２７と設けている。袋部２５は、円弧部２６の両端を本体２１の第１辺に合わせると共に、両端側外周縁を第１辺に続く第２辺、第３辺に合わせ、さらに背骨支持部２７の端部を第４辺に合わせて、本体２１内に埋設されている。袋部２５は、第２辺を貫通して給排気口２８を設けており、給排気口２８から空気を吹き込むことにより全体が膨らんだ状態で保持される。本体２１内は、袋部２５の外側の範囲がクッション材２２が十分に埋め込まれて、袋部２５が膨らんだ状態の厚さと同等厚さにされており、袋部２５の内側の範囲がクッション材２３が少なく、袋部２５が膨らんだ状態の厚さの半分程度の厚さにされ、腰部の挿入が容易になるようにされている。なお、クッション材２３の厚さをクッション材２２の厚さと同等にすることもできる。
【００３１】
実施例３においては、図１４に示すように、腰当て用具２０を円弧部２６頂部に設けた背骨支持部２７を上に向けた状態で車両用シート１の背もたれ部２にもたれ掛けさせることにより、着座者の腰が腰当て用具２０の袋部２５の内周側のクッション材２３に押し付けられて、着座者の腰から背中にかけて緊密に嵌め合わされる。これにより、腰当て用具２０の円弧部２６の頂部を中心として、腰部と背中にかけて自然に弓状に反って曲げられるため、背骨が曲がった猫背状態が解消される。さらに、着座者の背骨が、袋部２５の背骨支持部２７によって押されるため、着座者の背筋を自然に伸ばす効果がさらに高められる。その結果、実施例３においては、長時間椅子１に腰掛けたり作業したりしても、上体に加わる負担が大幅に軽減され、特に体が硬い人や高齢者などに対する、両肩や背中に加わる負担が大幅に軽減される。また、腰当て用具２０を用いない場合は、シート１の通常の状態での使用を妨げることはない。さらに、腰当て用具２０は長方形の座布団形状であるため、持ち運びの負担も少ない。
【００３２】
なお、上記実施例３においては、袋部２５が本体２１内に埋設された例となっているが、これに代えて、本体２１を薄い平坦な座布団形状とし、袋部を本体２１の一表面上に突出した状態で設けるようにすることも可能である。また、上記実施例１，２，３においては、着座者５が自動車のシート１に腰掛けた状態で、腰当て兼用腕載せ用具１０、腰当て用具２０を使用する例について説明しているが、その他、作業や勉強のために、着座者が椅子に腰掛ける場合に使用しても、同様の効果が得られる。
【００３３】
次に、実施例４について説明する。
実施例４においては、図１５及び図１６に示すように、腰当て付き椅子３０は、脚部３１と座部３２と背もたれ部３３を一体で設けており、背もたれ部３３には袋部３７が設けられている。背もたれ部３３は、上に向けて円弧状になっている下板部３４ａと、下板部３４ａの頂部から上に伸びた長尺状の中間部３４ｂと、その上の上板部３４ｃとを一体で備えた基部３４を有している。袋部３７は、柔軟性を有する薄いゴム膜あるいはプラスチック膜製の中空の袋であり、下板部３４ａ、中間部３４ｂ、上板部３４ｃに合わせた形状に形成されており、円弧形状の円弧部３７ａと、円弧部３７ａの頂部から径方向外方に延びた背骨支持部３７ｂと、背骨支持部３７ｂの上端に設けられた頭部支持部３７ｃとにより一体で構成されている。袋部３７は、基部３４に重ねあわされて、表面側が布部３５で被せられて、布部３５を基部３４に縫い付けることにより基部３４に固定されている。円弧部３７ａの内周縁内側にはクッション材３８が埋め込まれている。
【００３４】
実施例４においては、図１６及び図１７に示すように、背もたれ部３３に一体で山状に設けられた袋部３７によって、腰当付き椅子３０に座った着座者５の腰部９がその内周側のクッション材３８に押し付けられることにより、着座者５の腰部９から背中６ａにかけて緊密に嵌め合わされる。これにより、円弧部３７ａの山状の頂部を中心として、腰部９と背中６ａにかけて自然に弓状に反って曲げられ、また、着座者５の背骨が、膨らまされた背骨支持部３７ｂの弾力によって押されるため、着座者５の背筋を自然に伸ばす効果がさらに高められる。さらに、円弧部３７ａ及び背骨支持部３７ｂの外側部分を除いたことにより、着座者５が背もたれ部３３にもたれたとき、両腕を背もたれ部の後方に自然に曲げることが可能になる。そのため、着座者５は上体を背骨を中心として左右の後方に一層自然に曲げることができ、自然に背筋を伸ばすことができると共に、両腕や両肩の凝りをほぐす効果が得られる。
【００３５】
その結果、実施例４においては、長時間椅子に腰掛けたり作業したりしても、腰、肩、首を含む上体に加わる負担が大幅に軽減され、特に体が硬い人や高齢者などに対する、両肩や背中に加わる負担が大幅に軽減される。また、実施例４においては、着座者５の頭部が弾力性を有する頭部支持部３７ｃによって支持されるため、頭部の疲れが癒されると共に、肩こりを抑える効果も得られる。なお、袋部３７において、必要に応じて頭部支持部３７ｃを省くことも可能である。
【００３６】
なお、上記実施例４は、単一の腰当て付き椅子３０に関するものであるが、これに代えて、その構造を例えば車両のシートに適用することも可能であり、シートの着座者に対しても、実施例４と同様の効果が得られる。その他、上記各実施例に示した腰当て兼用腕載せ用具、腰当て用具、腰当て付き椅子については一例であり、本発明の趣旨を逸脱しない範囲において種々変更して実施することができる。
【産業上の利用可能性】
【００３７】
本発明は、車両のシートの着座した着座者が、膨らんだ状態で保持された腰当て兼用腕載せ用具を、胴部に安定した状態で取り付けられ、この状態で着座者が両腕の肘から先を腰当て兼用腕載せ用具の上部に載せることにより、両腕の肘から先を水平状態で安定に支持できる。また、山状にしてシートと背中の間に挟み、その内周側の空間に腰を押し込むようにすることにより、腰当て兼用腕載せ用具が着座者の腰から背中にかけて、緊密に嵌め合わされ、背骨が曲がった猫背状態が解消され、さらに、使用後は、空気を抜くことにより、平坦になった空気袋を折りたたむことができるので、簡単にかばん等に入れて持ち運ぶことができる。さらに、腰当て用具、腰当て付き椅子については、着座者の腰部がその内周側の空間に押し付けられることにより、袋部の山状の頂部を中心として腰部と背中にかけて自然に弓状に反って曲げられるため、背骨が曲がった猫背状態が解消され、また、着座者の背骨が、背骨支持部によって押されるため、着座者は上体を背骨を中心として左右の後方に曲げることができ、自然に背筋を伸ばす効果がさらに高められる。従って、本発明は有用である。
【図面の簡単な説明】
【００３８】
【図１】本発明の実施例１である腰当て兼用腕載せ用具を概略的に示す正面図である。
【図２】同腰当て兼用腕載せ用具を示す背面図である。
【図３】腰当て兼用腕載せ用具の使用状態を概略的に示す側面図である。
【図４】腰当て兼用腕載せ用具の使用状態を概略的に示す正面図である。
【図５】腰当て兼用腕載せ用具の使用状態を概略的に示す平面図である。
【図６】実施例２である腰当て兼用腕載せ用具の使用状態を概略的に示す側面図である。
【図７】腰当て兼用腕載せ用具の使用状態を概略的に示す背面図である。
【図８】実施例１，２の変形例である腰当て兼用腕載せ用具を概略的に示す正面図である。
【図９】同腰当て兼用腕載せ用具を示す背面図である。
【図１０】変形例における腰当て兼用腕載せ用具の使用状態を示す側面図である。
【図１１】変形例における腰当て兼用腕載せ用具の他の使用状態を示す側面図である。
【図１２】実施例３である腰当て用具を概略的に示す正面図である。
【図１３】同腰当て用具を示す図１２のＹ−Ｙ線方向の断面図である。
【図１４】腰当て用具の使用状態を示す側面図である。
【図１５】実施例４である腰当て付き椅子を概略的に示す正面図である。
【図１６】同腰当て付き椅子の使用状態を示す側面図である。
【図１７】同腰当て付き椅子の使用状態を示す正面図である。
【符号の説明】
【００３９】
１…シート、５…着座者、１０…腰当て兼用腕載せ用具、１１…表面側部、１２…裏面側部、１３…給排気口、１７…支持ベルト、１８…支持部、２０…腰当て用具、２１…本体、２５…袋部、２６…円弧部、２７…背骨支持部、３０…腰当て付き椅子、３３…背もたれ部、３４…基部、３７…袋部３７ａ…円弧部、３７ｂ…背骨支持部、３７ｃ…頭部支持部。
【図１】
2007130170.tif 000003
【図２】
2007130170.tif 000004
【図３】
2007130170.tif 000005
【図４】
2007130170.tif 000006
【図５】
2007130170.tif 000007
【図６】
2007130170.tif 000008
【図７】
2007130170.tif 000009
【図８】
2007130170.tif 000010
【図９】
2007130170.tif 000011
【図１０】
2007130170.tif 000012
【図１１】
2007130170.tif 000013
【図１２】
2007130170.tif 000014
【図１３】
2007130170.tif 000015
【図１４】
2007130170.tif 000016
【図１５】
2007130170.tif 000017
【図１６】
2007130170.tif 000018
【図１７】
2007130170.tif 000019
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
柔軟性を有する薄い素材で形成された略半円環状の中空の袋であって、該袋の一部に設けた給排気口から空気を吹き込むことにより膨らんだ状態で保持され、その内周縁側において人間の胴部前側に嵌め合わせ可能であり、
前記中空の袋が、ゴム弾性体製又はプラスチック製の中心材と、該中心材の外表面を覆う布材とで一体で構成されており、
前記中空の袋の互いに離間した２箇所間を伸縮自在な支持ベルトで連結し、該支持ベルトに差し込まれた手首側を締め付けて該袋上に固定可能にしたことを特徴とする腰当て兼用腕載せ用具。
【請求項２】
前記中空の袋の頂部において一体で径方向外方に延びた中空の袋である支持部を加えたことを特徴とする前記請求項１に記載の腰当て兼用腕載せ用具。
【請求項３】
長方形の座布団状であって、柔軟性を有する薄い素材で形成された略半円環状の中空の袋部が一体で設けられており、該袋部の一部に設けた給排気口から空気を吹き込むことにより該袋部が膨らんだ状態で保持され、該袋部が山状になるように椅子の背もたれ部にもたれ掛けられて、該椅子に座った着座者の腰部が該袋部の内周縁側に嵌め合わせ可能にされることを特徴とする腰当て用具。
【請求項４】
前記袋部の頂部において一体で径方向外方に延びた中空の袋である背骨支持部を加えたことを特徴とする前記請求項３に記載の腰当て用具。
【請求項５】
柔軟性を有する薄い素材で形成された略半円環状の中空の袋部が、椅子の背もたれ部に一体で山状に設けられて、該袋部の一部に設けた給排気口から空気を吹き込むことにより該袋部が膨らんだ状態で保持され、該袋部の内周縁側において椅子に座った着座者の腰部が嵌め合わせ可能にされたことを特徴とする腰当て付き椅子。
【請求項６】
前記袋部の頂部において一体で上方に延びた中空の袋である背骨支持部を設けたことを特徴とする前記請求項５に記載の腰当て付き椅子。
【請求項７】
前記背もたれ部の、前記袋部及び背骨支持部の外側部分が除かれたことを特徴とする前記請求項６に記載の腰当て付き椅子。
【請求項８】
前記背骨支持部の上端側に一体で中空の袋である頭部支持部を設けたことを特徴とする前記請求項６又は７に記載の腰当て付き椅子。
【手続補正２】
【補正対象書類名】明細書
【補正対象項目名】全文
【補正方法】変更
【補正の内容】
【発明の詳細な説明】
【技術分野】
【０００１】
本発明は、自動車や公共交通機関等のシートのように手摺りを設けていない椅子や、オフィスや学校等で作業するための椅子に座った着座者が使用できる腰当て兼用腕載せ用具、腰当て用具及び腰当て付き椅子に関する。
【背景技術】
【０００２】
従来、自動車や公共交通機関等のシートのように、手摺りを設けていない椅子に座る場合、着座した者は、腕をもたれさせて水平状態に維持することができないので、そのまま下に垂らすしかなかった。しかし、長時間の乗車により、腕の重みで上体に過重な負担が加わるため、姿勢も悪くなり肩こりや腰痛が生じやすく、特に体が硬い人や高齢者などに負担が大きかった。また、オフィスや学校等で作業するための椅子に座った着座者についても、長時間の作業により腕の重みで上体に過重な負担が加わり、姿勢も悪くなると共に肩こりや腰痛が生じやすいということは、従来から問題になっていた。
【０００３】
例えば、特許文献１に示すように、給排気栓を設けた空気袋の中に空気袋の広さのものを複数個に分割した大きさの合成樹脂発泡体を並べて収容した平坦な板状で、空気袋内に密閉された空気と発泡体の弾性との相乗により、安定のよいクッション効果が得られる、携帯用折りたたみ式クッション体が知られている。このクッション体は、椅子の背もたれと着座者の腰や胴の間に挟んで用いられる。しかし、このクッション体では、椅子の背もたれと着座者の腰の間で挟むのみであるため、着座者の動きにより容易に位置ずれし易いという問題がある。また、このクッション体では、上記腕を乗せて水平に維持する機能は得られない。さらに、上記クッション体については、空気袋内に合成樹脂製発泡体が収容されているため、使用後に空気袋内の空気を抜いたとしても、折りたたんだ際にかさばるため、持ち運びが容易でもなかった。
【特許文献１】特開２０００−３５４５２６
【発明の開示】
【発明が解決しようとする課題】
【０００４】
本発明は、上記問題を解決しようとするもので、手摺りを設けていないシートに座った着座者の両腕をもたれさせて水平状態に支持でき、また着座者の上体と椅子の背もたれとの間に簡単には位置ずれしないように挟んで用いることができ、さらに使用しないときは折りたたんで持ち運びが容易なコンパクトな形状にできる腰当て兼用腕載せ用具を提供することを目的とする。また、本発明は、椅子に座った着座者の、背骨の曲がった猫背状態を防止して、腰や肩や背骨に加わる負担を軽減できる腰当て用具、腰当て付き椅子を提供することを他の目的とする。
【課題を解決するための手段】
【０００５】
上記目的を達成するために、本発明の構成上の特徴は、柔軟性を有する薄い素材で形成された略半円環状の中空の袋であって、袋の一部に設けた給排気口から空気を吹き込むことにより膨らんだ状態で保持され、その内周縁側において人間の胴部前側に嵌め合わせ可能であり、中空の袋が、ゴム弾性体製又はプラスチック製の中心材と、中心材の外表面を覆う布材とで一体で構成されており、中空の袋の互いに離間した２箇所間を伸縮自在な支持ベルトで連結し、支持ベルトに差し込まれた手首側を締め付けて袋上に固定可能にしたことにある。
【０００６】
上記のように構成した本発明においては、車両のシート等に座った着座者が、給排気口から空気を吹き込むことにより膨らんだ状態で保持された腰当て兼用腕載せ用具を、その内周縁側において胴部前側に嵌め合わせて太ももに載せることにより、腰当て兼用腕載せ用具が胴部に安定した状態で取り付けられる。この状態で、着座者が両腕の肘から先を腰当て兼用腕載せ用具の上部に載せることにより、両腕の肘から先が水平状態で安定に支持される。その結果、本発明においては、上体に加わる負担が大幅に軽減されるので、シート等に長時間腰掛けていても、肩こりや腰痛が生じ難くなる。特に、体が硬い人や高齢者などに対する、上体に加わる負担が大幅に軽減される。
【０００７】
また、本発明においては、腰当て兼用腕載せ用具が、椅子に座った着座者の背中と椅子の背もたれ間に挟まれて山状に配置されることにより、着座者の腰部がその内周側の空間に押し付けられて、着座者の腰部から背中にかけて緊密に嵌め合わされる。これにより、腰当て兼用腕載せ用具の山状の頂部を中心として、腰部と背中にかけて自然に弓状に反って曲げられるため、背骨が曲がった猫背状態が解消される。その結果、本発明においては、長時間シートに腰掛けたり作業したりしても、上体に加わる負担が大幅に軽減され、特に体が硬い人や高齢者などに対する、両肩や背中に加わる負担が大幅に軽減される。また、本発明の腰当て兼用腕載せ用具の使用後は、空気を抜くことにより平坦にすることができるため、空気袋を簡単に折畳んでかばん等に入れて持ち運ぶことができるので、自動車のみならず公共交通機関での使用に非常に便利である。
【０００８】
また、本発明においては、中心材の外表面が布材で覆われていることにより、着座者が腕を持たれかけたときのあたりが柔らかであり、長時間の使用でも腕の疲れが抑えられる。
【０００９】
また、本発明においては、中空の袋の互いに離間した２箇所間を伸縮自在な支持ベルトで連結したことにより、着座者が両腕の肘から先を腰当て兼用腕載せ用具の上部に載せたとき、手首側を袋の外周側における互いに離間した２箇所間を連結した支持ベルトに差し込むことができ、手首側が弾性を有する伸縮自在な支持ベルトで締め付けられて、用具上にしっかりと固定される。その結果、車両の振動等があったり、着座者が体をリラックスさせた状態になっても、両腕の肘から先が腰当て兼用腕載せ用具上から離れることを防止できる。そのため、両腕の肘から先が常に水平状態で安定に支持される。
【００１０】
また、本発明において、中空の袋の頂部において一体で径方向外方に延びた中空の袋である支持部を加えることができる。これにより、腰当て兼用腕載せ用具を、その内周縁側において着座者の胴部前側に嵌め合わせて太ももに載せることにより、支持部が着座者の前方に水平状態で配置される。そのため、支持部に書籍等を載せることにより、着座者は楽に読書を楽しむことができる。また、腰当て兼用腕載せ用具を、椅子に座った着座者の背中と椅子の背もたれ間に挟んで山状に配置することにより、着座者の背骨が、膨らまされた支持部の弾力によって押されるため、自然に着座者の背筋を伸ばす効果がさらに高められる。
【００１１】
また、本発明の他の特徴は、長方形の座布団状であって、柔軟性を有する薄い素材で形成された略半円環状の中空の袋部が一体で設けられており、袋部の一部に設けた給排気口から空気を吹き込むことにより袋部が膨らんだ状態で保持され、袋部が山状になるように椅子の背もたれ部にもたれ掛けられて、椅子に座った着座者の腰部が袋部の内周縁側に嵌め合わせ可能にされることにある。
【００１２】
他の特徴においては、腰当て用具を椅子の背もたれ部にもたれ掛けさせることにより、着座者の腰部が腰当て用具の袋部の内周側に押し付けられて、着座者の腰部から背中にかけて緊密に嵌め合わされる。これにより、腰当て用具の山状の頂部を中心として、腰部と背中にかけて自然に弓状に反って曲げられるため、背骨が曲がった猫背状態が解消される。その結果、他の特徴においては、長時間シートに腰掛けたり作業したりしても、上体に加わる負担が大幅に軽減され、特に体が硬い人や高齢者などに対する、両肩や背中に加わる負担が大幅に軽減される。また、腰当て用具を用いない場合は、椅子の通常の状態での使用を妨げることはない。さらに、腰当て用具は長方形の布団形状であるため、持ち運びの負担も少ない。
【００１３】
また、他の特徴において、袋部の頂部において一体で径方向外方に延びた中空の袋である背骨支持部を加えることができる。これにより、着座者の背骨が、膨らまされた背骨支持部の弾力によって押されるため、自然に着座者の背筋を伸ばす効果がさらに高められる。
【００１４】
また、本発明のその他の特徴は、柔軟性を有する薄い素材で形成された略半円環状の中空の袋部が、椅子の背もたれ部に一体で山状に設けられて、袋部の一部に設けた給排気口から空気を吹き込むことにより袋部が膨らんだ状態で保持され、袋部の内周縁側において椅子に座った着座者の腰部が嵌め合わせ可能にされたことにある。
【００１５】
その他の特徴においては、背もたれ部に一体で山状に設けられた袋部によって、腰当付き椅子に座った着座者の腰部がその内周側の空間に押し付けられることにより、着座者の腰部から背中にかけて緊密に嵌め合わされる。これにより、袋部の山状の頂部を中心として、腰部と背中にかけて自然に弓状に反って曲げられるため、背骨が曲がった猫背状態が解消される。その結果、本発明においては、長時間椅子に腰掛けたり作業したりしても、上体に加わる負担が大幅に軽減され、特に体が硬い人や高齢者などに対する、両肩や背中に加わる負担が大幅に軽減される。
【００１６】
また、その他の特徴において、袋部の頂部において一体で上方に延びた中空の袋である背骨支持部を設けることができる。これにより、着座者の背骨が、膨らまされた背骨支持部の弾力によって押されるため、自然に着座者の背筋を伸ばす効果がさらに高められる。
【００１７】
また、その他の特徴において、背もたれ部の、袋部及び背骨支持部の外側部分を除くことが可能である。このように、袋部及び背骨支持部の外側部分を除いたことにより、着座者が背もたれ部にもたれたとき、両腕を背もたれ部の後方に自然に曲げることが可能になる。そのため、着座者は上体を背骨を中心として左右の後方に一層自然に曲げることができ、自然に背筋を伸ばすことができると共に、両腕や両肩の凝りをほぐす効果が得られる。
【００１８】
また、その他の特徴において、背骨支持部の上端側に一体で中空の袋である頭部支持部を設けることができる。これにより、着座者の頭部が膨らまされた頭部支持部の弾力によって支持されるため、頭部の疲れが癒されると共に、肩こりを抑える効果も得られる。
【発明の効果】
【００１９】
本発明によれば、膨らんだ状態で保持された腰当て兼用腕載せ用具が、車両のシート等に着座した着座者の腰部に安定した状態で取り付けられ、この状態で、着座者が両腕の肘から先を腰当て兼用腕載せ用具の上部に載せることにより、両腕の肘から先を水平状態で安定に維持できる。その結果、本発明においては、両肩や背中に加わる負担が大幅に軽減されるので、長時間腰掛けていても、肩こりや腰痛が生じ難くされる。また、本発明によれば、膨らんだ状態で保持された腰当て兼用腕載せ用具を、山状にしてシートと背中の間に挟み、その内周側の空間に腰部を押し込むようにすることにより、背中が自然に弓状に反って曲げられ、背骨が曲がった猫背状態が解消される。その結果、本発明においては、長時間シートに腰掛けたり作業したりしても、背骨に加わる負担が大幅に軽減され、それによる肩こりや腰痛が生じ難くされる。また、腰当て兼用腕載せ用具の使用後は、空気を抜くことにより、薄くなった空気袋を折りたたむことができるので、簡単にかばん等に入れて持ち運ぶことができるので、自動車のみならず公共交通機関等での使用にも非常に便利である。
【００２０】
また、本発明においては、袋の外表面を布材で覆ったことにより、着座者が腕をもたれかけたときのあたりが柔らかにされる。さらに、空気袋の両端近傍間を伸縮自在な支持ベルトで連結したことにより、着座者が両腕の肘から先を腰当て兼用腕載せ用具の上部に載せたとき手首側を支持ベルトに差し込むことができるため、両腕の肘から先が腰当て兼用腕載せ用具上から離れることを防止でき、両腕の肘から先を常に水平状態で安定に支持できる。また、本発明において、中空の袋の頂部において一体で径方向外方に延びた中空の袋である支持部を加えることにより、着座者の胴部前側に嵌め合わせる場合には、支持部に書籍等を載せる読書を楽しむことができ、腰当て兼用腕載せ用具を、椅子に座った着座者の背中と椅子の背もたれ間に挟んで山状に配置する場合には、支持部によって自然に着座者の背筋を伸ばす効果がさらに高められる。
【００２１】
本発明の他の特徴によれば、着座者の腰部が腰当て用具の袋部の内周側に押し付けられて、着座者の腰部から背中にかけて緊密に嵌め合わされることにより、腰当て用具の山状の頂部を中心として、腰部と背中にかけて自然に弓状に反って曲げられるため、背骨が曲がった猫背状態が解消され、その結果、長時間椅子に腰掛けたり作業したりしても、両肩や背中に加わる負担が大幅に軽減される。また、袋部の頂部において一体で上方に延びた中空の袋である背骨支持部を加えることにより、着座者の両肩や背中に加わる負担を軽減させる効果がさらに高められる。
【００２２】
その他の特徴によれば、腰当付き椅子に座った着座者の腰部が、背もたれ部に山状に設けられた袋部の内周側の空間に押し付けられ緊密に嵌め合わされることにより、袋部の山状の頂部を中心として、腰部と背中にかけて自然に弓状に反って曲げられるため、背骨が曲がった猫背状態が解消され、その結果、長時間椅子に腰掛けたり作業したりしても、両肩や背中に加わる負担が大幅に軽減される。また、その他の特徴において、袋部の頂部において一体で上方に延びた中空の袋である背骨支持部を加えたり、また背もたれ部の袋部及び背骨支持部の外側部分を除いたりすることにより、着座者の上体を背骨を中心として左右の後方に自然に曲げることができ、自然に背筋を伸ばす効果がさらに高められる。さらに、背骨支持部の上端側に一体で中空の袋である頭部支持部を設けることにより、頭部の疲れを癒すことができる。
【発明を実施するための最良の形態】
【００２３】
以下、本発明の一実施例について図面を用いて説明する。図１，図２は、実施例１である腰当て兼用腕載せ用具を正面図、背面図により概略的に示したものである。図３〜図５は、腰当て兼用腕載せ用具の使用状態を側面図、正面図及び平面図により概略的に示したものである。
【００２４】
腰当て兼用腕載せ用具１０は、薄く柔軟性のあるゴム膜あるいはプラスチック膜を中心材としてその外表面に柔らかい布材を接着して一体化した素材を用いて、中心角略１９０°で所定幅の扇形の２枚の素材片である表面側部１１と裏面側部１２とを形成し、表面側部１１と裏面側部１２を互いに外周縁で接合させて中空の袋状にしたものである。また、裏面側部１２の中央位置には、空気を吹き込む給排気口１３が突出して設けられている。さらに、表面側部１１と裏面側部１２の外周縁の周方向に対称な２箇所には、径方向外方にわずかに伸びた帯状の一対の取付部１４,１５を設けている。取付部１４，１５は、中心角で略７０°の位置に設けられている。取付部１４,１５には、ゴム製の伸縮自在な支持ベルト１７が取り付けられて両者間を連結して設けられている。この腰当て兼用腕載せ用具１０については、給排気口１３から給気具や口で空気を吹き込むことにより膨らまされて使用形態である略半円環形状にされる。
【００２５】
上記のように構成した本実施例１においては、図３〜図５に示すように、車両のシート１の背もたれ２にもたれて座部３に座った着座者５が、給排気口１３から空気を吹き込むことにより膨らんだ状態で保持された腰当て兼用腕載せ用具１０を、その内周縁側において胴部６の前側に嵌め合わせて太もも７に載せることにより、胴部６に安定した状態で取り付けられる。この状態で、着座者５が両腕８の肘から先を腰当て兼用腕載せ用具１０の表面側部１１上に載せることにより、両腕８の肘から先が水平状態で安定に支持される。そのため、着座者５の上体に加わる負担が大幅に軽減されるので、長時間腰掛けていても肩こりや腰痛が生じ難くなる。特に、体が硬い人や高齢者などに対する、両肩や背中に加わる負担が大幅に軽減される。
【００２６】
また、実施例１においては、腰当て兼用腕載せ用具１０の外表面が布材で覆われていることにより、着座者５が腕を持たれかけたときのあたりが柔らかであり、長時間の使用でも腕に加わる負担が大幅に軽減される。さらに、実施例１においては、腰当て兼用腕載せ用具１０の両端近傍間を支持ベルト１７で連結したこと、着座者５が両腕８の肘から先を表面側部１１の上部に載せたとき、手首側を支持ベルト１７に差し込むことができ、手首側が弾性を有する支持ベルト１７で締め付けられて、表面側部１１上にしっかりと拘束される。これにより、車両の振動等があったり、着座者５が体をリラックスさせた状態になっても、両腕８の肘から先が腰当て兼用腕載せ用具１０上から離れることを防止できる。そのため、両腕８の肘から先が、腰当て兼用腕載せ用具１０によって継続して水平状態で安定に支持される。また、腰当て兼用腕載せ用具１０の使用後は、空気を抜くことにより、薄くなった空気袋を簡単に折りたたんで小さくまとめることができ、簡単にかばん等に入れて持ち運ぶことができるので、自動車のみならず公共交通機関での使用に非常に便利である。
【００２７】
次に、実施例２について説明する。
実施例２においては、図６及び図７に示すように、車両のシート１の背もたれ２にもたれて座部３に座った着座者５が、膨らんだ状態で保持された腰当て兼用腕載せ用具１０を山状にして背中と背もたれ２の間に挟んで配置したものである。さらに、着座者５が、腰当て兼用腕載せ用具１０の内周縁側の空間に腰部９を押し込むようにすることにより、腰当て兼用腕載せ用具１０が着座者５の腰部９から背中６ａにかけて、緊密に嵌め合わされる。これにより、腰当て兼用腕載せ用具１０の山状の頂部１０ａを中心として、腰部９と背中６ａとが自然に弓状に反って曲げられることにより、背骨が曲がった猫背状態が解消される。そのため、着座者５が長時間シート１に腰掛けても、上体に加わる負担が大幅に軽減されて、肩こりや腰痛を抑えることができる。特に、体が硬い人や高齢者などに対する、両肩や背中に加わる負担が大幅に軽減される。
【００２８】
次に、実施例１及び２の変形例について説明する。
変形例の腰当て兼用腕載せ用具１０Ａは、図８，図９に示すように、上記実施例の腰当て兼用腕載せ用具１０外周縁の中央位置である袋本体の頂部１０ａにおいて、袋本体から一体で径方向外方に延びた中空の袋である支持部１８を加えたものである。支持部１８は、袋本体から隔離されており、その側部に空気を吹き込む給排気口１９を設けており、給排気口１９から空気を吹き込むことにより、所定長さの角柱形状に膨らまされる。腰当て兼用腕載せ用具１０Ａのその他の構成については、上記腰当て兼用腕載せ用具１０と同様である。なお、支持部１８内部を腰当て兼用腕載せ用具１０の内部と繋げることも可能であり、それにより、給排気口１９を省くことができる。
【００２９】
変形例においては、図１０に示すように、腰当て兼用腕載せ用具１０Ａを、その内周縁側において着座者の胴部前側に嵌め合わせて太ももに載せることにより、支持部１８が着座者５の前方に水平状態で配置される。そのため、支持部１８の平坦な上面に書籍９等を載せることにより、着座者は楽に読書を楽しむことができる。また、図１１に示すように、腰当て兼用腕載せ用具１０Ａを、椅子１に座った着座者５の背中６ａと椅子の背もたれ２間に挟んで山状に配置することにより、着座者５の背骨が、膨らまされた支持部１８の弾力によって押されるため、自然に着座者の背筋を伸ばす効果がさらに高められる。
【００３０】
次に、実施例３について説明する。
実施例３は、図１２及び図１３に示すように、腰当て用具２０は、長方形の座布団状の本体２１と、本体２１内に埋設された柔軟性を有する薄いゴム膜あるいはプラスチック膜で形成された中空の袋部２５とにより構成されている。本体２１は布製の袋であり、袋部２５を除いた内部にはクッション材２２、２３が埋め込まれている。袋部２５は、略半円弧形の円弧部２６と、円弧部２６の頂部において一体で連続して径方向外方に延びた直線状の背骨支持部２７と設けている。袋部２５は、円弧部２６の両端を本体２１の第１辺に合わせると共に、両端側外周縁を第１辺に続く第２辺、第３辺に合わせ、さらに背骨支持部２７の端部を第４辺に合わせて、本体２１内に埋設されている。袋部２５は、第２辺を貫通して給排気口２８を設けており、給排気口２８から空気を吹き込むことにより全体が膨らんだ状態で保持される。本体２１内は、袋部２５の外側の範囲がクッション材２２が十分に埋め込まれて、袋部２５が膨らんだ状態の厚さと同等厚さにされており、袋部２５の内側の範囲がクッション材２３が少なく、袋部２５が膨らんだ状態の厚さの半分程度の厚さにされ、腰部の挿入が容易になるようにされている。なお、クッション材２３の厚さをクッション材２２の厚さと同等にすることもできる。
【００３１】
実施例３においては、図１４に示すように、腰当て用具２０を円弧部２６頂部に設けた背骨支持部２７を上に向けた状態で車両用シート１の背もたれ部２にもたれ掛けさせることにより、着座者の腰が腰当て用具２０の袋部２５の内周側のクッション材２３に押し付けられて、着座者の腰から背中にかけて緊密に嵌め合わされる。これにより、腰当て用具２０の円弧部２６の頂部を中心として、腰部と背中にかけて自然に弓状に反って曲げられるため、背骨が曲がった猫背状態が解消される。さらに、着座者の背骨が、袋部２５の背骨支持部２７によって押されるため、着座者の背筋を自然に伸ばす効果がさらに高められる。その結果、実施例３においては、長時間椅子１に腰掛けたり作業したりしても、上体に加わる負担が大幅に軽減され、特に体が硬い人や高齢者などに対する、両肩や背中に加わる負担が大幅に軽減される。また、腰当て用具２０を用いない場合は、シート１の通常の状態での使用を妨げることはない。さらに、腰当て用具２０は長方形の座布団形状であるため、持ち運びの負担も少ない。
【００３２】
なお、上記実施例３においては、袋部２５が本体２１内に埋設された例となっているが、これに代えて、本体２１を薄い平坦な座布団形状とし、袋部を本体２１の一表面上に突出した状態で設けるようにすることも可能である。また、上記実施例１，２，３においては、着座者５が自動車のシート１に腰掛けた状態で、腰当て兼用腕載せ用具１０、腰当て用具２０を使用する例について説明しているが、その他、作業や勉強のために、着座者が椅子に腰掛ける場合に使用しても、同様の効果が得られる。
【００３３】
次に、実施例４について説明する。
実施例４においては、図１５及び図１６に示すように、腰当て付き椅子３０は、脚部３１と座部３２と背もたれ部３３を一体で設けており、背もたれ部３３には袋部３７が設けられている。背もたれ部３３は、上に向けて円弧状になっている下板部３４ａと、下板部３４ａの頂部から上に伸びた長尺状の中間部３４ｂと、その上の上板部３４ｃとを一体で備えた基部３４を有している。袋部３７は、柔軟性を有する薄いゴム膜あるいはプラスチック膜製の中空の袋であり、下板部３４ａ、中間部３４ｂ、上板部３４ｃに合わせた形状に形成されており、円弧形状の円弧部３７ａと、円弧部３７ａの頂部から径方向外方に延びた背骨支持部３７ｂと、背骨支持部３７ｂの上端に設けられた頭部支持部３７ｃとにより一体で構成されている。袋部３７は、基部３４に重ねあわされて、表面側が布部３５で被せられて、布部３５を基部３４に縫い付けることにより基部３４に固定されている。円弧部３７ａの内周縁内側にはクッション材３８が埋め込まれている。
【００３４】
実施例４においては、図１６及び図１７に示すように、背もたれ部３３に一体で山状に設けられた袋部３７によって、腰当付き椅子３０に座った着座者５の腰部９がその内周側のクッション材３８に押し付けられることにより、着座者５の腰部９から背中６ａにかけて緊密に嵌め合わされる。これにより、円弧部３７ａの山状の頂部を中心として、腰部９と背中６ａにかけて自然に弓状に反って曲げられ、また、着座者５の背骨が、膨らまされた背骨支持部３７ｂの弾力によって押されるため、着座者５の背筋を自然に伸ばす効果がさらに高められる。さらに、円弧部３７ａ及び背骨支持部３７ｂの外側部分を除いたことにより、着座者５が背もたれ部３３にもたれたとき、両腕を背もたれ部の後方に自然に曲げることが可能になる。そのため、着座者５は上体を背骨を中心として左右の後方に一層自然に曲げることができ、自然に背筋を伸ばすことができると共に、両腕や両肩の凝りをほぐす効果が得られる。
【００３５】
その結果、実施例４においては、長時間椅子に腰掛けたり作業したりしても、腰、肩、首を含む上体に加わる負担が大幅に軽減され、特に体が硬い人や高齢者などに対する、両肩や背中に加わる負担が大幅に軽減される。また、実施例４においては、着座者５の頭部が弾力性を有する頭部支持部３７ｃによって支持されるため、頭部の疲れが癒されると共に、肩こりを抑える効果も得られる。なお、袋部３７において、必要に応じて頭部支持部３７ｃを省くことも可能である。
【００３６】
なお、上記実施例４は、単一の腰当て付き椅子３０に関するものであるが、これに代えて、その構造を例えば車両のシートに適用することも可能であり、シートの着座者に対しても、実施例４と同様の効果が得られる。その他、上記各実施例に示した腰当て兼用腕載せ用具、腰当て用具、腰当て付き椅子については一例であり、本発明の趣旨を逸脱しない範囲において種々変更して実施することができる。
【産業上の利用可能性】
【００３７】
本発明は、車両のシートの着座した着座者が、膨らんだ状態で保持された腰当て兼用腕載せ用具を、胴部に安定した状態で取り付けられ、この状態で着座者が両腕の肘から先を腰当て兼用腕載せ用具の上部に載せることにより、両腕の肘から先を水平状態で安定に支持できる。また、山状にしてシートと背中の間に挟み、その内周側の空間に腰を押し込むようにすることにより、腰当て兼用腕載せ用具が着座者の腰から背中にかけて、緊密に嵌め合わされ、背骨が曲がった猫背状態が解消され、さらに、使用後は、空気を抜くことにより、平坦になった空気袋を折りたたむことができるので、簡単にかばん等に入れて持ち運ぶことができる。さらに、腰当て用具、腰当て付き椅子については、着座者の腰部がその内周側の空間に押し付けられることにより、袋部の山状の頂部を中心として腰部と背中にかけて自然に弓状に反って曲げられるため、背骨が曲がった猫背状態が解消され、また、着座者の背骨が、背骨支持部によって押されるため、着座者は上体を背骨を中心として左右の後方に曲げることができ、自然に背筋を伸ばす効果がさらに高められる。従って、本発明は有用である。
【図面の簡単な説明】
【００３８】
【図１】本発明の実施例１である腰当て兼用腕載せ用具を概略的に示す正面図である。
【図２】同腰当て兼用腕載せ用具を示す背面図である。
【図３】腰当て兼用腕載せ用具の使用状態を概略的に示す側面図である。
【図４】腰当て兼用腕載せ用具の使用状態を概略的に示す正面図である。
【図５】腰当て兼用腕載せ用具の使用状態を概略的に示す平面図である。
【図６】実施例２である腰当て兼用腕載せ用具の使用状態を概略的に示す側面図である。
【図７】腰当て兼用腕載せ用具の使用状態を概略的に示す背面図である。
【図８】実施例１，２の変形例である腰当て兼用腕載せ用具を概略的に示す正面図である。
【図９】同腰当て兼用腕載せ用具を示す背面図である。
【図１０】変形例における腰当て兼用腕載せ用具の使用状態を示す側面図である。
【図１１】変形例における腰当て兼用腕載せ用具の他の使用状態を示す側面図である。
【図１２】実施例３である腰当て用具を概略的に示す正面図である。
【図１３】同腰当て用具を示す図１２のＹ−Ｙ線方向の断面図である。
【図１４】腰当て用具の使用状態を示す側面図である。
【図１５】実施例４である腰当て付き椅子を概略的に示す正面図である。
【図１６】同腰当て付き椅子の使用状態を示す側面図である。
【図１７】同腰当て付き椅子の使用状態を示す正面図である。
【符号の説明】
【００３９】
１…シート、５…着座者、１０…腰当て兼用腕載せ用具、１１…表面側部、１２…裏面側部、１３…給排気口、１７…支持ベルト、１８…支持部、２０…腰当て用具、２１…本体、２５…袋部、２６…円弧部、２７…背骨支持部、３０…腰当て付き椅子、３３…背もたれ部、３４…基部、３７…袋部３７ａ…円弧部、３７ｂ…背骨支持部、３７ｃ…頭部支持部。
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
長方形の座布団状であって、柔軟性を有する薄い素材で形成された略半円環状の中空の袋部が一体で設けられており、該袋部の一部に設けた給排気口から空気を吹き込むことにより該袋部が膨らんだ状態で保持され、該袋部が山状になるように椅子の背もたれ部にもたれ掛けられて、該椅子に座った着座者の腰部が該袋部の内周縁側に嵌め合わせ可能にされることを特徴とする腰当て用具。
【請求項２】
前記袋部の頂部において一体で径方向外方に延びた中空の袋である背骨支持部を加えたことを特徴とする前記請求項１に記載の腰当て用具。
【請求項３】
柔軟性を有する薄い素材で形成された略半円環状の中空の袋部が、椅子の背もたれ部に一体で山状に設けられて、該袋部の一部に設けた給排気口から空気を吹き込むことにより該袋部が膨らんだ状態で保持され、該袋部の内周縁側において椅子に座った着座者の腰部が嵌め合わせ可能にされたことを特徴とする腰当て付き椅子。
【請求項４】
前記袋部の頂部において一体で上方に延びた中空の袋である背骨支持部を設けたことを特徴とする前記請求項３に記載の腰当て付き椅子。
【請求項５】
前記背もたれ部の、前記袋部及び背骨支持部の外側部分が除かれたことを特徴とする前記請求項４に記載の腰当て付き椅子。
【請求項６】
前記背骨支持部の上端側に一体で中空の袋である頭部支持部を設けたことを特徴とする前記請求項４又は５に記載の腰当て付き椅子。
【手続補正２】
【補正対象書類名】明細書
【補正対象項目名】全文
【補正方法】変更
【補正の内容】
【発明の詳細な説明】
【技術分野】
【０００１】
本発明は、自動車や公共交通機関等のシートのように手摺りを設けていない椅子や、オフィスや学校等で作業するための椅子に座った着座者が使用できる腰当て用具及び腰当て付き椅子に関する。
【背景技術】
【０００２】
従来、自動車や公共交通機関等のシートのように、手摺りを設けていない椅子に座る場合、着座した者は、腕をもたれさせて水平状態に維持することができないので、そのまま下に垂らすしかなかった。しかし、長時間の乗車により、腕の重みで上体に過重な負担が加わるため、姿勢も悪くなり肩こりや腰痛が生じやすく、特に体が硬い人や高齢者などに負担が大きかった。また、オフィスや学校等で作業するための椅子に座った着座者についても、長時間の作業により腕の重みで上体に過重な負担が加わり、姿勢も悪くなると共に肩こりや腰痛が生じやすいということは、従来から問題になっていた。
【０００３】
例えば、特許文献１に示すように、給排気栓を設けた空気袋の中に空気袋の広さのものを複数個に分割した大きさの合成樹脂発泡体を並べて収容した平坦な板状で、空気袋内に密閉された空気と発泡体の弾性との相乗により、安定のよいクッション効果が得られる、携帯用折りたたみ式クッション体が知られている。このクッション体は、椅子の背もたれと着座者の腰や胴の間に挟んで用いられる。しかし、このクッション体では、椅子の背もたれと着座者の腰の間で挟むのみであるため、着座者の動きにより容易に位置ずれし易いという問題がある。また、このクッション体では、上記腕を乗せて水平に維持する機能は得られない。さらに、上記クッション体については、空気袋内に合成樹脂製発泡体が収容されているため、使用後に空気袋内の空気を抜いたとしても、折りたたんだ際にかさばるため、持ち運びが容易でもなかった。
【特許文献１】特開２０００−３５４５２６
【発明の開示】
【発明が解決しようとする課題】
【０００４】
本発明は、上記問題を解決しようとするもので、椅子に座った着座者の、背骨の曲がった猫背状態を防止して、腰や肩や背骨に加わる負担を軽減できる腰当て用具、腰当て付き椅子を提供することを目的とする。
【課題を解決するための手段】
【０００５】
上記目的を達成するために、本発明の構成上の特徴は、長方形の座布団状であって、柔軟性を有する薄い素材で形成された略半円環状の中空の袋部が一体で設けられており、袋部の一部に設けた給排気口から空気を吹き込むことにより袋部が膨らんだ状態で保持され、袋部が山状になるように椅子の背もたれ部にもたれ掛けられて、椅子に座った着座者の腰部が袋部の内周縁側に嵌め合わせ可能にされることにある。
【０００６】
上記のように構成した本発明においては、腰当て用具を椅子の背もたれ部にもたれ掛けさせることにより、着座者の腰部が腰当て用具の袋部の内周側に押し付けられて、着座者の腰部から背中にかけて緊密に嵌め合わされる。これにより、腰当て用具の山状の頂部を中心として、腰部と背中にかけて自然に弓状に反って曲げられるため、背骨が曲がった猫背状態が解消される。その結果、他の特徴においては、長時間シートに腰掛けたり作業したりしても、上体に加わる負担が大幅に軽減され、特に体が硬い人や高齢者などに対する、両肩や背中に加わる負担が大幅に軽減される。また、腰当て用具を用いない場合は、椅子の通常の状態での使用を妨げることはない。さらに、腰当て用具は長方形の布団形状であるため、持ち運びの負担も少ない。
【０００７】
また、本発明において、袋部の頂部において一体で径方向外方に延びた中空の袋である背骨支持部を加えることができる。これにより、着座者の背骨が、膨らまされた背骨支持部の弾力によって押されるため、自然に着座者の背筋を伸ばす効果がさらに高められる。
【０００８】
また、本発明の他の特徴は、柔軟性を有する薄い素材で形成された略半円環状の中空の袋部が、椅子の背もたれ部に一体で山状に設けられて、袋部の一部に設けた給排気口から空気を吹き込むことにより袋部が膨らんだ状態で保持され、袋部の内周縁側において椅子に座った着座者の腰部が嵌め合わせ可能にされたことにある。
【０００９】
他の特徴においては、背もたれ部に一体で山状に設けられた袋部によって、腰当付き椅子に座った着座者の腰部がその内周側の空間に押し付けられることにより、着座者の腰部から背中にかけて緊密に嵌め合わされる。これにより、袋部の山状の頂部を中心として、腰部と背中にかけて自然に弓状に反って曲げられるため、背骨が曲がった猫背状態が解消される。その結果、本発明においては、長時間椅子に腰掛けたり作業したりしても、上体に加わる負担が大幅に軽減され、特に体が硬い人や高齢者などに対する、両肩や背中に加わる負担が大幅に軽減される。
【００１０】
また、他の特徴において、袋部の頂部において一体で上方に延びた中空の袋である背骨支持部を設けることができる。これにより、着座者の背骨が、膨らまされた背骨支持部の弾力によって押されるため、自然に着座者の背筋を伸ばす効果がさらに高められる。
【００１１】
また、他の特徴において、背もたれ部の、袋部及び背骨支持部の外側部分を除くことが可能である。このように、袋部及び背骨支持部の外側部分を除いたことにより、着座者が背もたれ部にもたれたとき、両腕を背もたれ部の後方に自然に曲げることが可能になる。そのため、着座者は上体を背骨を中心として左右の後方に一層自然に曲げることができ、自然に背筋を伸ばすことができると共に、両腕や両肩の凝りをほぐす効果が得られる。
【００１２】
また、他の特徴において、背骨支持部の上端側に一体で中空の袋である頭部支持部を設けることができる。これにより、着座者の頭部が膨らまされた頭部支持部の弾力によって支持されるため、頭部の疲れが癒されると共に、肩こりを抑える効果も得られる。
【発明の効果】
【００１３】
本発明によれば、着座者の腰部が腰当て用具の袋部の内周側に押し付けられて、着座者の腰部から背中にかけて緊密に嵌め合わされることにより、腰当て用具の山状の頂部を中心として、腰部と背中にかけて自然に弓状に反って曲げられるため、背骨が曲がった猫背状態が解消され、その結果、長時間椅子に腰掛けたり作業したりしても、両肩や背中に加わる負担が大幅に軽減される。また、袋部の頂部において一体で上方に延びた中空の袋である背骨支持部を加えることにより、着座者の両肩や背中に加わる負担を軽減させる効果がさらに高められる。
【００１４】
他の特徴によれば、腰当付き椅子に座った着座者の腰部が、背もたれ部に山状に設けられた袋部の内周側の空間に押し付けられ緊密に嵌め合わされることにより、袋部の山状の頂部を中心として、腰部と背中にかけて自然に弓状に反って曲げられるため、背骨が曲がった猫背状態が解消され、その結果、長時間椅子に腰掛けたり作業したりしても、両肩や背中に加わる負担が大幅に軽減される。また、他の特徴において、袋部の頂部において一体で上方に延びた中空の袋である背骨支持部を加えたり、また背もたれ部の袋部及び背骨支持部の外側部分を除いたりすることにより、着座者の上体を背骨を中心として左右の後方に自然に曲げることができ、自然に背筋を伸ばす効果がさらに高められる。さらに、背骨支持部の上端側に一体で中空の袋である頭部支持部を設けることにより、頭部の疲れを癒すことができる。
【発明を実施するための最良の形態】
【００１５】
以下、本発明の一実施例について図面を用いて説明する。図１，図２は、参考例１である腰当て兼用腕載せ用具を正面図、背面図により概略的に示したものである。図３〜図５は、腰当て兼用腕載せ用具の使用状態を側面図、正面図及び平面図により概略的に示したものである。
【００１６】
腰当て兼用腕載せ用具１０は、薄く柔軟性のあるゴム膜あるいはプラスチック膜を中心材としてその外表面に柔らかい布材を接着して一体化した素材を用いて、中心角略１９０°で所定幅の扇形の２枚の素材片である表面側部１１と裏面側部１２とを形成し、表面側部１１と裏面側部１２を互いに外周縁で接合させて中空の袋状にしたものである。また、裏面側部１２の中央位置には、空気を吹き込む給排気口１３が突出して設けられている。さらに、表面側部１１と裏面側部１２の外周縁の周方向に対称な２箇所には、径方向外方にわずかに伸びた帯状の一対の取付部１４,１５を設けている。取付部１４，１５は、中心角で略７０°の位置に設けられている。取付部１４,１５には、ゴム製の伸縮自在な支持ベルト１７が取り付けられて両者間を連結して設けられている。この腰当て兼用腕載せ用具１０については、給排気口１３から給気具や口で空気を吹き込むことにより膨らまされて使用形態である略半円環形状にされる。
【００１７】
上記のように構成した参考例１においては、図３〜図５に示すように、車両のシート１の背もたれ２にもたれて座部３に座った着座者５が、給排気口１３から空気を吹き込むことにより膨らんだ状態で保持された腰当て兼用腕載せ用具１０を、その内周縁側において胴部６の前側に嵌め合わせて太もも７に載せることにより、胴部６に安定した状態で取り付けられる。この状態で、着座者５が両腕８の肘から先を腰当て兼用腕載せ用具１０の表面側部１１上に載せることにより、両腕８の肘から先が水平状態で安定に支持される。そのため、着座者５の上体に加わる負担が大幅に軽減されるので、長時間腰掛けていても肩こりや腰痛が生じ難くなる。特に、体が硬い人や高齢者などに対する、両肩や背中に加わる負担が大幅に軽減される。
【００１８】
また、参考例１においては、腰当て兼用腕載せ用具１０の外表面が布材で覆われていることにより、着座者５が腕を持たれかけたときのあたりが柔らかであり、長時間の使用でも腕に加わる負担が大幅に軽減される。さらに、参考例１においては、腰当て兼用腕載せ用具１０の両端近傍間を支持ベルト１７で連結したこと、着座者５が両腕８の肘から先を表面側部１１の上部に載せたとき、手首側を支持ベルト１７に差し込むことができ、手首側が弾性を有する支持ベルト１７で締め付けられて、表面側部１１上にしっかりと拘束される。これにより、車両の振動等があったり、着座者５が体をリラックスさせた状態になっても、両腕８の肘から先が腰当て兼用腕載せ用具１０上から離れることを防止できる。そのため、両腕８の肘から先が、腰当て兼用腕載せ用具１０によって継続して水平状態で安定に支持される。また、腰当て兼用腕載せ用具１０の使用後は、空気を抜くことにより、薄くなった空気袋を簡単に折りたたんで小さくまとめることができ、簡単にかばん等に入れて持ち運ぶことができるので、自動車のみならず公共交通機関での使用に非常に便利である。
【００１９】
次に、参考例２について説明する。
参考例２においては、図６及び図７に示すように、車両のシート１の背もたれ２にもたれて座部３に座った着座者５が、膨らんだ状態で保持された腰当て兼用腕載せ用具１０を山状にして背中と背もたれ２の間に挟んで配置したものである。さらに、着座者５が、腰当て兼用腕載せ用具１０の内周縁側の空間に腰部９を押し込むようにすることにより、腰当て兼用腕載せ用具１０が着座者５の腰部９から背中６ａにかけて、緊密に嵌め合わされる。これにより、腰当て兼用腕載せ用具１０の山状の頂部１０ａを中心として、腰部９と背中６ａとが自然に弓状に反って曲げられることにより、背骨が曲がった猫背状態が解消される。そのため、着座者５が長時間シート１に腰掛けても、上体に加わる負担が大幅に軽減されて、肩こりや腰痛を抑えることができる。特に、体が硬い人や高齢者などに対する、両肩や背中に加わる負担が大幅に軽減される。
【００２０】
次に、参考例１及び２の変形例について説明する。
変形例の腰当て兼用腕載せ用具１０Ａは、図８，図９に示すように、上記参考例の腰当て兼用腕載せ用具１０外周縁の中央位置である袋本体の頂部１０ａにおいて、袋本体から一体で径方向外方に延びた中空の袋である支持部１８を加えたものである。支持部１８は、袋本体から隔離されており、その側部に空気を吹き込む給排気口１９を設けており、給排気口１９から空気を吹き込むことにより、所定長さの角柱形状に膨らまされる。腰当て兼用腕載せ用具１０Ａのその他の構成については、上記腰当て兼用腕載せ用具１０と同様である。なお、支持部１８内部を腰当て兼用腕載せ用具１０の内部と繋げることも可能であり、それにより、給排気口１９を省くことができる。
【００２１】
変形例においては、図１０に示すように、腰当て兼用腕載せ用具１０Ａを、その内周縁側において着座者の胴部前側に嵌め合わせて太ももに載せることにより、支持部１８が着座者５の前方に水平状態で配置される。そのため、支持部１８の平坦な上面に書籍９等を載せることにより、着座者は楽に読書を楽しむことができる。また、図１１に示すように、腰当て兼用腕載せ用具１０Ａを、椅子１に座った着座者５の背中６ａと椅子の背もたれ２間に挟んで山状に配置することにより、着座者５の背骨が、膨らまされた支持部１８の弾力によって押されるため、自然に着座者の背筋を伸ばす効果がさらに高められる。
【００２２】
次に、実施例１について説明する。
実施例１は、図１２及び図１３に示すように、腰当て用具２０は、長方形の座布団状の本体２１と、本体２１内に埋設された柔軟性を有する薄いゴム膜あるいはプラスチック膜で形成された中空の袋部２５とにより構成されている。本体２１は布製の袋であり、袋部２５を除いた内部にはクッション材２２、２３が埋め込まれている。袋部２５は、略半円弧形の円弧部２６と、円弧部２６の頂部において一体で連続して径方向外方に延びた直線状の背骨支持部２７と設けている。袋部２５は、円弧部２６の両端を本体２１の第１辺に合わせると共に、両端側外周縁を第１辺に続く第２辺、第３辺に合わせ、さらに背骨支持部２７の端部を第４辺に合わせて、本体２１内に埋設されている。袋部２５は、第２辺を貫通して給排気口２８を設けており、給排気口２８から空気を吹き込むことにより全体が膨らんだ状態で保持される。本体２１内は、袋部２５の外側の範囲がクッション材２２が十分に埋め込まれて、袋部２５が膨らんだ状態の厚さと同等厚さにされており、袋部２５の内側の範囲がクッション材２３が少なく、袋部２５が膨らんだ状態の厚さの半分程度の厚さにされ、腰部の挿入が容易になるようにされている。なお、クッション材２３の厚さをクッション材２２の厚さと同等にすることもできる。
【００２３】
実施例１においては、図１４に示すように、腰当て用具２０を円弧部２６頂部に設けた背骨支持部２７を上に向けた状態で車両用シート１の背もたれ部２にもたれ掛けさせることにより、着座者の腰が腰当て用具２０の袋部２５の内周側のクッション材２３に押し付けられて、着座者の腰から背中にかけて緊密に嵌め合わされる。これにより、腰当て用具２０の円弧部２６の頂部を中心として、腰部と背中にかけて自然に弓状に反って曲げられるため、背骨が曲がった猫背状態が解消される。さらに、着座者の背骨が、袋部２５の背骨支持部２７によって押されるため、着座者の背筋を自然に伸ばす効果がさらに高められる。その結果、実施例１においては、長時間椅子１に腰掛けたり作業したりしても、上体に加わる負担が大幅に軽減され、特に体が硬い人や高齢者などに対する、両肩や背中に加わる負担が大幅に軽減される。また、腰当て用具２０を用いない場合は、シート１の通常の状態での使用を妨げることはない。さらに、腰当て用具２０は長方形の座布団形状であるため、持ち運びの負担も少ない。
【００２４】
なお、上記実施例１においては、袋部２５が本体２１内に埋設された例となっているが、これに代えて、本体２１を薄い平坦な座布団形状とし、袋部を本体２１の一表面上に突出した状態で設けるようにすることも可能である。また、上記参考例１，２、実施例１においては、着座者５が自動車のシート１に腰掛けた状態で、腰当て兼用腕載せ用具１０、腰当て用具２０を使用する例について説明しているが、その他、作業や勉強のために、着座者が椅子に腰掛ける場合に使用しても、同様の効果が得られる。
【００２５】
次に、実施例２について説明する。
実施例２においては、図１５及び図１６に示すように、腰当て付き椅子３０は、脚部３１と座部３２と背もたれ部３３を一体で設けており、背もたれ部３３には袋部３７が設けられている。背もたれ部３３は、上に向けて円弧状になっている下板部３４ａと、下板部３４ａの頂部から上に伸びた長尺状の中間部３４ｂと、その上の上板部３４ｃとを一体で備えた基部３４を有している。袋部３７は、柔軟性を有する薄いゴム膜あるいはプラスチック膜製の中空の袋であり、下板部３４ａ、中間部３４ｂ、上板部３４ｃに合わせた形状に形成されており、円弧形状の円弧部３７ａと、円弧部３７ａの頂部から径方向外方に延びた背骨支持部３７ｂと、背骨支持部３７ｂの上端に設けられた頭部支持部３７ｃとにより一体で構成されている。袋部３７は、基部３４に重ねあわされて、表面側が布部３５で被せられて、布部３５を基部３４に縫い付けることにより基部３４に固定されている。円弧部３７ａの内周縁内側にはクッション材３８が埋め込まれている。
【００２６】
実施例２においては、図１６及び図１７に示すように、背もたれ部３３に一体で山状に設けられた袋部３７によって、腰当付き椅子３０に座った着座者５の腰部９がその内周側のクッション材３８に押し付けられることにより、着座者５の腰部９から背中６ａにかけて緊密に嵌め合わされる。これにより、円弧部３７ａの山状の頂部を中心として、腰部９と背中６ａにかけて自然に弓状に反って曲げられ、また、着座者５の背骨が、膨らまされた背骨支持部３７ｂの弾力によって押されるため、着座者５の背筋を自然に伸ばす効果がさらに高められる。さらに、円弧部３７ａ及び背骨支持部３７ｂの外側部分を除いたことにより、着座者５が背もたれ部３３にもたれたとき、両腕を背もたれ部の後方に自然に曲げることが可能になる。そのため、着座者５は上体を背骨を中心として左右の後方に一層自然に曲げることができ、自然に背筋を伸ばすことができると共に、両腕や両肩の凝りをほぐす効果が得られる。
【００２７】
その結果、実施例２においては、長時間椅子に腰掛けたり作業したりしても、腰、肩、首を含む上体に加わる負担が大幅に軽減され、特に体が硬い人や高齢者などに対する、両肩や背中に加わる負担が大幅に軽減される。また、実施例２においては、着座者５の頭部が弾力性を有する頭部支持部３７ｃによって支持されるため、頭部の疲れが癒されると共に、肩こりを抑える効果も得られる。なお、袋部３７において、必要に応じて頭部支持部３７ｃを省くことも可能である。
【００２８】
なお、上記実施例２は、単一の腰当て付き椅子３０に関するものであるが、これに代えて、その構造を例えば車両のシートに適用することも可能であり、シートの着座者に対しても、実施例２と同様の効果が得られる。その他、上記各参考例１，２に示した腰当て兼用腕載せ用具、実施例１，２に示した腰当て用具、腰当て付き椅子については一例であり、本発明の趣旨を逸脱しない範囲において種々変更して実施することができる。
【産業上の利用可能性】
【００２９】
本発明の腰当て用具、腰当て付き椅子は、着座者の腰部がその内周側の空間に押し付けられることにより、袋部の山状の頂部を中心として腰部と背中にかけて自然に弓状に反って曲げられるため、背骨が曲がった猫背状態が解消され、また、着座者の背骨が、背骨支持部によって押されるため、着座者は上体を背骨を中心として左右の後方に曲げることができ、自然に背筋を伸ばす効果がさらに高められる。従って、本発明は有用である。
【図面の簡単な説明】
【００３０】
【図１】参考例１である腰当て兼用腕載せ用具を概略的に示す正面図である。
【図２】同腰当て兼用腕載せ用具を示す背面図である。
【図３】腰当て兼用腕載せ用具の使用状態を概略的に示す側面図である。
【図４】腰当て兼用腕載せ用具の使用状態を概略的に示す正面図である。
【図５】腰当て兼用腕載せ用具の使用状態を概略的に示す平面図である。
【図６】参考例２である腰当て兼用腕載せ用具の使用状態を概略的に示す側面図である。
【図７】腰当て兼用腕載せ用具の使用状態を概略的に示す背面図である。
【図８】参考例１，２の変形例である腰当て兼用腕載せ用具を概略的に示す正面図である。
【図９】同腰当て兼用腕載せ用具を示す背面図である。
【図１０】変形例における腰当て兼用腕載せ用具の使用状態を示す側面図である。
【図１１】変形例における腰当て兼用腕載せ用具の他の使用状態を示す側面図である。
【図１２】本発明の実施例１である腰当て用具を概略的に示す正面図である。
【図１３】同腰当て用具を示す図１２のＹ−Ｙ線方向の断面図である。
【図１４】腰当て用具の使用状態を示す側面図である。
【図１５】実施例２である腰当て付き椅子を概略的に示す正面図である。
【図１６】同腰当て付き椅子の使用状態を示す側面図である。
【図１７】同腰当て付き椅子の使用状態を示す正面図である。
【符号の説明】
【００３１】
１…シート、５…着座者、１０…腰当て兼用腕載せ用具、１１…表面側部、１２…裏面側部、１３…給排気口、１７…支持ベルト、１８…支持部、２０…腰当て用具、２１…本体、２５…袋部、２６…円弧部、２７…背骨支持部、３０…腰当て付き椅子、３３…背もたれ部、３４…基部、３７…袋部３７ａ…円弧部、３７ｂ…背骨支持部、３７ｃ…頭部支持部。